(57)【要約】  ３ＧＰＰコア（４０４）と対話するように構成されており、かつ、モバイルブロードバンドサービス（４０６）が３ＧＰＰモバイル端末（４０８ａ、４０８ｂ）に提供されることを可能にするようにさらに構成されているスモールセルバックホールネットワーク（４０２）について、本明細書において記載する。加えて、スモールセルバックホールネットワークのコンポーネント、すなわち、スモールセル無線基地局（４１０ａ、４１０ｂ）、スモールセルハブ（４１２）、スモールセルバックホールコントローラ（４１４）、およびスモールセルバックホールストレージユニット（４１６）について、本明細書において記載する。【選択図】図４
2015523813.tif 000002
【特許請求の範囲】
【請求項１】
第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されているスモールセルバックホールネットワーク（４０２）であって、
複数のスモールセル無線基地局（４１０ａ、４１０ｂ）であり、それぞれのスモールセル無線基地局が前記複数の３ＧＰＰモバイル端末の少なくとも一部にリンクされている、複数のスモールセル無線基地局（４１０ａ、４１０ｂ）と、
前記複数のスモールセル無線基地局への少なくとも１つのワイヤレスリンク（４２０）を提供するスモールセルハブ（４１２）と、
前記スモールセルハブと前記複数のスモールセル無線基地局との間における前記少なくとも１つのワイヤレスリンクをコントロールするスモールセルバックホールコントローラ（４１４）であり、前記スモールセルハブおよび前記３ＧＰＰコアの両方と対話するスモールセルバックホールコントローラ（４１４）と、
前記スモールセルバックホールコントローラに結合されているスモールセルバックホールストレージユニット（４１６）であり、前記スモールセルハブと前記複数のスモールセル無線基地局との間における前記少なくとも１つのワイヤレスリンクに関連しているデータを保持し、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされる、スモールセルバックホールストレージユニット（４１６）とを含むスモールセルバックホールネットワーク（４０２）。
【請求項２】
それぞれのスモールセル無線基地局が、マクロ３ＧＰＰセル（４１３）よりも小さいエリアを有するスモールセル（４１１ａ、４１１ｂ）のためのカバレッジを提供し、前記マクロ３ＧＰＰセルが、複数の前記スモールセルと重なるエリアをカバーする、請求項１に記載のスモールセルバックホールネットワーク。
【請求項３】
それぞれのスモールセル無線基地局が、前記３ＧＰＰコアから見られた場合には、レガシーユーザ機器としてエミュレートされる、請求項１または２に記載のスモールセルバックホールネットワーク。
【請求項４】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項１から３のいずれか一項に記載のスモールセルバックホールネットワーク。
【請求項５】
前記少なくとも１つのワイヤレスリンクが、前記３ＧＰＰコアから見られた場合には、ポイントツーマルチポイントワイヤレスリンクとしてエミュレートされる、請求項１から３のいずれか一項に記載のスモールセルバックホールネットワーク。
【請求項６】
前記スモールセルハブが、前記３ＧＰＰコアから見られた場合には、レガシー無線基地局としてエミュレートされる、請求項１から５のいずれか一項に記載のスモールセルバックホールネットワーク。
【請求項７】
前記スモールセルハブが、前記スモールセルバックホールコントローラから開始される非アクセス層（ＮＡＳ）シグナリングの少なくとも一部を前記複数のスモールセル無線基地局から隠すＮＡＳブリッジ（４４０）を含む、請求項１から６のいずれか一項に記載のスモールセルバックホールネットワーク。
【請求項８】
前記ＮＡＳブリッジが、前記スモールセルバックホールコントローラに対してＮＡＳユーザ機器（ＵＥ）エンティティーをエミュレートする、請求項７に記載のスモールセルバックホールネットワーク。
【請求項９】
前記ＮＡＳブリッジが、ＮＡＳプロトコルデータユニット（ＰＤＵ）情報要素（ＩＥ）を開始および終了するように構成されている、請求項７に記載のスモールセルバックホールネットワーク。
【請求項１０】
前記スモールセルバックホールコントローラが、コントロールプレーンエンティティー（４３８）およびデータプレーンエンティティー（４３６）を含む、請求項１から９のいずれか一項に記載のスモールセルバックホールネットワーク。
【請求項１１】
前記スモールセルバックホールコントローラが、前記スモールセルハブとのコントロールプレーン対話において標準的なＳ１アプリケーションプロトコル（Ｓ１ＡＰ）を採用する、請求項１から１０のいずれか一項に記載のスモールセルバックホールネットワーク。
【請求項１２】
前記スモールセルバックホールコントローラが、前記スモールセルハブと対話するために標準的な非アクセス層（ＮＡＳ）シグナリングを採用する、請求項１から１０のいずれか一項に記載のスモールセルバックホールネットワーク。
【請求項１３】
前記スモールセルバックホールコントローラが、前記３ＧＰＰコアにおいてモバイル仮想ネットワークオペレータ（ＭＶＮＯ）エンティティーとして実装される、請求項１から１０のいずれか一項に記載のスモールセルバックホールネットワーク。
【請求項１４】
前記スモールセルバックホールストレージユニットが、前記３ＧＰＰコアに関連付けられているストレージユニットと結合される、請求項１から１３のいずれか一項に記載のスモールセルバックホールネットワーク。
【請求項１５】
前記スモールセル無線基地局が、
インターネットプロトコル（ＩＰ）レイヤ（５０２ａ）、パケットデータコンバージェンスプロトコル（ＰＤＣＰ）レイヤ（５０２ｂ）、無線リンクコントロール（ＲＬＣ）レイヤ（５０２ｃ）、メディアアクセスコントロール（ＭＡＣ）レイヤ（５０２ｄ）、および物理レイヤ（５０２ｅ）を含むユーザプレーンプロトコルスタック（５０２）と、
ＮＡＳレイヤ（５０４ａ）、無線リソースコントロール（ＲＲＣ）レイヤ（５０４ｂ）、ＰＤＣＰレイヤ（５０４ｃ）、ＲＬＣレイヤ（５０４ｄ）、ＭＡＣレイヤ（５０４ｅ）、および物理レイヤ（５０４ｆ）を含むコントロールプレーンプロトコルスタック（５０４）とを含み、
前記スモールセルハブが、
前記スモールセル無線基地局とのインターフェースを取り、ＰＤＣＰレイヤ（５０６ａ’）、ＲＬＣレイヤ（５０６ｂ’）、ＭＡＣレイヤ（５０６ｃ’）、および物理レイヤ（５０６ｄ’）を含む部分（５０６’）を有するユーザプレーンプロトコルスタック（５０６）であって、
前記スモールセルバックホールコントローラとのインターフェースを取り、ＧＰＲＳトンネリングプロトコル（ＧＴＰ）レイヤ（５０６ａ’’）、ユーザデータグラムプロトコル（ＵＤＰ）レイヤ（５０６ｂ’’）、インターネットプロトコル（ＩＰ）レイヤ（５０６ｃ’’）、Ｌ２レイヤ（５０６ｄ’’）、およびＬ１レイヤ（５０６ｅ’’）を含む別の部分（５０６’’）を有するユーザプレーンプロトコルスタック（５０６）と、
前記スモールセル無線基地局とのインターフェースを取り、非アクセス層（ＮＡＳ）プロキシレイヤ（５０８ａ’’）、ＲＲＣレイヤ（５０８ｂ’’）、ＰＤＣＰレイヤ（５０８ｃ’’）、ＲＬＣレイヤ（５０８ｄ’’）、ＭＡＣレイヤ（５０８ｅ’’）、および物理レイヤ（５０８ｆ’’）を含む部分（５０８’）を有するコントロールプレーンプロトコルスタック（５０８）であって、
前記スモールセルバックホールコントローラとのインターフェースを取り、Ｓ１アプリケーションプロトコル（Ｓ１ＡＰ）レイヤ（５０８ａ’’）、スチームコントロール伝送プロトコル（ＳＣＴＰ）レイヤ（５０８ｂ’’）、ＩＰレイヤ（５０８ｃ’’）、Ｌ２レイヤ（５０８ｄ’’）、およびＬ１レイヤ（５０８ｅ’’）を含む別の部分（５０８’’）を有するコントロールプレーンプロトコルスタック（５０８）とを含み、
前記スモールセルバックホールコントローラが、
前記スモールセルハブとのインターフェースを取り、第１のＩＰレイヤ（５１０ａ）、ＧＴＰレイヤ（５１０ｂ）、ＵＤＰレイヤ（５１０ｃ）、第２のＩＰレイヤ（５１０ｄ）、Ｌ２レイヤ（５１０ｅ）、およびＬ１レイヤ（５１０ｆ）を含むユーザプレーンプロトコルスタック（５１０）と、
前記スモールセルハブとのインターフェースを取り、ＮＡＳレイヤ（５１２ａ）、Ｓ１ＡＰレイヤ（５１２ｂ）、ＳＣＴＰレイヤ（５１２ｃ）、ＩＰレイヤ（５１２ｄ）、Ｌ２レイヤ（５１２ｅ）、およびＬ１レイヤ（５１２ｆ）を含むコントロールプレーンプロトコルスタック（５１２）とを含む、
請求項１から１３のいずれか一項に記載のスモールセルバックホールネットワーク。
【請求項１６】
スモールセルバックホールネットワーク（４０２）の一部であるスモールセル無線基地局（４１０ａ）であって、前記スモールセルバックホールネットワーク（４０２）がまた、スモールセルハブ（４１２）と、１つまたは複数のさらなるスモールセル無線基地局（４１０ｂ）と、スモールセルバックホールコントローラ（４１４）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービスが前記３ＧＰＰコアによって提供されることを可能にするようにさらに構成されており、前記スモールセル無線基地局が、
プロセッサ（４５０）と、
プロセッサ実行可能命令を格納するメモリ（４５２）とを含み、前記プロセッサが、前記メモリとのインターフェースを取り、前記プロセッサ実行可能命令を実行して、
前記複数の３ＧＰＰモバイル端末（４０８ａ）の少なくとも一部へのリンク（４１８ａ）を提供すること（６０２）、および
ワイヤレスリンク（４２０）を介して前記スモールセルハブとのインターフェースを取ること（６０４）を可能にし、前記ワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされ、前記スモールセル無線基地局が、前記３ＧＰＰコアから見られた場合には、レガシーユーザ機器としてエミュレートされる、スモールセル無線基地局（４１０ａ）。
【請求項１７】
エアインターフェースを介した前記ワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項１６に記載のスモールセル無線基地局。
【請求項１８】
インターネットプロトコル（ＩＰ）レイヤ（５０２ａ）、パケットデータコンバージェンスプロトコル（ＰＤＣＰ）レイヤ（５０２ｂ）、無線リンクコントロール（ＲＬＣ）レイヤ（５０２ｃ）、メディアアクセスコントロール（ＭＡＣ）レイヤ（５０２ｄ）、および物理レイヤ（５０２ｅ）を含むユーザプレーンプロトコルスタック（５０２）と、
ＮＡＳレイヤ（５０４ａ）、無線リソースコントロール（ＲＲＣ）レイヤ（５０４ｂ）、ＰＤＣＰレイヤ（５０４ｃ）、ＲＬＣレイヤ（５０４ｄ）、ＭＡＣレイヤ（５０４ｅ）、および物理レイヤ（５０４ｆ）を含むコントロールプレーンプロトコルスタック（５０４）と
をさらに含む、請求項１６または１７に記載のスモールセル無線基地局。
【請求項１９】
スモールセルバックホールネットワーク（４０２）の一部であるスモールセル無線基地局（４１０ａ）によって実施されるスモールセルバックホールソリューションを提供するための方法（６００）であって、前記スモールセルバックホールネットワーク（４０２）がまた、スモールセルハブ（４１２）と、１つまたは複数のさらなるスモールセル無線基地局（４１０ｂ）と、スモールセルバックホールコントローラ（４１４）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されており、前記方法が、
前記複数の３ＧＰＰモバイル端末（４０８ａ）の少なくとも一部へのリンク（４１８ａ）を提供するステップ（６０２）と、
ワイヤレスリンク（４２０）を介して前記スモールセルハブとのインターフェースを取るステップ（６０４）とを含み、前記ワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされ、前記スモールセル無線基地局が、前記３ＧＰＰコアから見られた場合には、レガシーユーザ機器としてエミュレートされる、方法（６００）。
【請求項２０】
エアインターフェースを介した前記ワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項１９に記載の方法。
【請求項２１】
前記スモールセル無線基地局が、
インターネットプロトコル（ＩＰ）レイヤ（５０２ａ）、パケットデータコンバージェンスプロトコル（ＰＤＣＰ）レイヤ（５０２ｂ）、無線リンクコントロール（ＲＬＣ）レイヤ（５０２ｃ）、メディアアクセスコントロール（ＭＡＣ）レイヤ（５０２ｄ）、および物理レイヤ（５０２ｅ）を含むユーザプレーンプロトコルスタック（５０２）と、
ＮＡＳレイヤ（５０４ａ）、無線リソースコントロール（ＲＲＣ）レイヤ（５０４ｂ）、ＰＤＣＰレイヤ（５０４ｃ）、ＲＬＣレイヤ（５０４ｄ）、ＭＡＣレイヤ（５０４ｅ）、および物理レイヤ（５０４ｆ）を含むコントロールプレーンプロトコルスタック（５０４）とをさらに含む、請求項１９または２０に記載の方法。
【請求項２２】
スモールセルバックホールネットワーク（４０２）の一部であるスモールセルハブ（４１２）であって、前記スモールセルバックホールネットワーク（４０２）がまた、複数のスモールセル無線基地局（４１０ａ、４１０ｂ）と、スモールセルバックホールコントローラ（４１４）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、複数の３ＧＰＰモバイル端末へのモバイルブロードバンドサービス（４０６）が前記３ＧＰＰコアによって提供されることを可能にするようにさらに構成されており、前記スモールセルハブが、
プロセッサ（４５４）と、
プロセッサ実行可能命令を格納するメモリ（４５６）とを含み、前記プロセッサが、前記メモリとのインターフェースを取り、前記プロセッサ実行可能命令を実行して、
前記複数のスモール無線基地局への少なくとも１つのワイヤレスリンク（４２０）を提供すること（７０２）を可能にし、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされ、前記スモールセルハブが、前記３ＧＰＰコアから見られた場合には、レガシー無線基地局としてエミュレートされる、スモールセルハブ（４１２）。
【請求項２３】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項２２に記載のスモールセルハブ。
【請求項２４】
前記スモールセルバックホールコントローラから開始されるＮＡＳシグナリングの少なくとも一部を前記複数のスモールセル無線基地局から隠す非アクセス層（ＮＡＳ）ブリッジ（４４０）をさらに含む、請求項２２または２３に記載のスモールセルハブ。
【請求項２５】
前記スモールセル無線基地局とのインターフェースを取り、パケットデータコンバージェンスプロトコル（ＰＤＣＰ）レイヤ（５０６ａ’）、ＲＬＣレイヤ（５０６ｂ’）、ＭＡＣレイヤ（５０６ｃ’）、および物理レイヤ（５０６ｄ’）を含む部分（５０６’）を有するユーザプレーンプロトコルスタック（５０６）であって、
前記スモールセルバックホールコントローラとのインターフェースを取り、ＧＰＲＳトンネリングプロトコル（ＧＴＰ）レイヤ（５０６ａ’’）、ユーザデータグラムプロトコル（ＵＤＰ）レイヤ（５０６ｂ’’）、インターネットプロトコル（ＩＰ）レイヤ（５０６ｃ’’）、Ｌ２レイヤ（５０６ｄ’’）、およびＬ１レイヤ（５０６ｅ’’）を含む別の部分（５０６’’）を有するユーザプレーンプロトコルスタック（５０６）と、
前記スモールセル無線基地局とのインターフェースを取り、非アクセス層（ＮＡＳ）プロキシレイヤ（５０８ａ’）、ＲＲＣレイヤ（５０８ｂ’）、ＰＤＣＰレイヤ（５０８ｃ’）、ＲＬＣレイヤ（５０８ｄ’）、ＭＡＣレイヤ（５０８ｅ’）、および物理レイヤ（５０８ｆ’）を含む部分（５０８’）を有するコントロールプレーンプロトコルスタック（５０８）であって、
前記スモールセルバックホールコントローラとのインターフェースを取り、Ｓ１アプリケーションプロトコル（Ｓ１ＡＰ）レイヤ（５０８ａ’’）、ＳＣＴＰレイヤ（５０８ｂ’’）、ＩＰレイヤ（５０８ｃ’’）、Ｌ２レイヤ（５０８ｄ’’）、およびＬ１レイヤ（５０８ｅ’’）を含む別の部分（５０８’’）を有するコントロールプレーンプロトコルスタック（５０８）と
をさらに含む、請求項２２から２４のいずれか一項に記載のスモールセルハブ。
【請求項２６】
スモールセルバックホールネットワーク（４０２）の一部であるスモールセルハブ（４１２）によって実施されるスモールセルバックホールソリューションを提供するための方法（７００）であって、前記スモールセルバックホールネットワーク（４０２）がまた、複数のスモールセル無線基地局（４１０ａ、４１０ｂ）と、スモールセルバックホールコントローラ（４１４）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されており、前記方法が、
前記複数のスモール無線基地局への少なくとも１つのワイヤレスリンク（４２０）を提供するステップ（７０２）を含み、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされ、前記スモールセルハブが、前記３ＧＰＰコアから見られた場合には、レガシー無線基地局としてエミュレートされる、方法（７００）。
【請求項２７】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項２６に記載の方法。
【請求項２８】
前記スモールセルハブ内に非アクセス層（ＮＡＳ）ブリッジ（４４０）を提供するステップ（７０４）をさらに含み、前記ＮＡＳブリッジが、前記スモールセルバックホールコントローラから開始されるＮＡＳシグナリングの少なくとも一部を前記複数のスモールセル無線基地局から隠す、請求項２６または２７に記載の方法。
【請求項２９】
前記スモールセル無線基地局とのインターフェースを取り、パケットデータコンバージェンスプロトコル（ＰＤＣＰ）レイヤ（５０６ａ’）、ＲＬＣレイヤ（５０６ｂ’）、ＭＡＣレイヤ（５０６ｃ’）、および物理レイヤ（５０６ｄ’）を含む部分（５０６’）を有するユーザプレーンプロトコルスタック（５０６）であって、
前記スモールセルバックホールコントローラとのインターフェースを取り、ＧＰＲＳトンネリングプロトコル（ＧＴＰ）レイヤ（５０６ａ’’）、ユーザデータグラムプロトコル（ＵＤＰ）レイヤ（５０６ｂ’’）、インターネットプロトコル（ＩＰ）レイヤ（５０６ｃ’’）、Ｌ２レイヤ（５０６ｄ’’）、およびＬ１レイヤ（５０６ｅ’’）を含む別の部分（５０６’’）を有するユーザプレーンプロトコルスタック（５０６）と、
前記スモールセル無線基地局とのインターフェースを取り、非アクセス層（ＮＡＳ）プロキシレイヤ（５０８ａ’）、ＲＲＣレイヤ（５０８ｂ’）、ＰＤＣＰレイヤ（５０８ｃ’）、ＲＬＣレイヤ（５０８ｄ’）、ＭＡＣレイヤ（５０８ｅ’）、および物理レイヤ（５０８ｆ’）を含む部分（５０８’）を有するコントロールプレーンプロトコルスタック（５０８）であって、
前記スモールセルバックホールコントローラとのインターフェースを取り、Ｓ１アプリケーションプロトコル（Ｓ１ＡＰ）レイヤ（５０８ａ’’）、ＳＣＴＰレイヤ（５０８ｂ’’）、ＩＰレイヤ（５０８ｃ’’）、Ｌ２レイヤ（５０８ｄ’’）、およびＬ１レイヤ（５０８ｅ’’）を含む別の部分（５０８’’）を有するコントロールプレーンプロトコルスタック（５０８）と
を前記スモールセルハブに提供するステップをさらに含む、請求項２６から２８のいずれか一項に記載の方法。
【請求項３０】
スモールセルバックホールネットワーク（４０２）の一部であるスモールセルバックホールコントローラ（４１４）であって、前記スモールセルバックホールネットワーク（４０２）がまた、複数のスモールセル無線基地局（４１０ａ、４１０ｂ）と、スモールセルハブ（４１２）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されており、前記スモールセルバックホールコントローラが、
プロセッサ（４５８）と、
プロセッサ実行可能命令を格納するメモリ（４６０）とを含み、前記プロセッサが、前記メモリとのインターフェースを取り、前記プロセッサ実行可能命令を実行して、
前記スモールセルハブと前記複数のスモールセル無線基地局との間における少なくとも１つのワイヤレスリンク（４２０）をコントロールすること（８００）を可能にし、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされる、スモールセルバックホールコントローラ（４１４）。
【請求項３１】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項３０に記載のスモールセルバックホールコントローラ。
【請求項３２】
前記スモールセルハブとのインターフェースを取り、第１のインターネットプロトコル（ＩＰ）レイヤ（５１０ａ）、ＧＰＲＳトンネリングプロトコル（ＧＴＰ）レイヤ（５１０ｂ）、ユーザデータグラムプロトコル（ＵＤＰ）レイヤ（５１０ｃ）、第２のＩＰレイヤ（５１０ｄ）、Ｌ２レイヤ（５１０ｅ）、およびＬ１レイヤ（５１０ｆ）を含むユーザプレーンプロトコルスタック（５１０）と、
前記スモールセルハブとのインターフェースを取り、非アクセス層（ＮＡＳ）レイヤ（５１２ａ）、Ｓ１アプリケーションプロトコル（Ｓ１ＡＰ）レイヤ（５１２ｂ）、スチームコントロール伝送プロトコル（ＳＣＴＰ）レイヤ（５１２ｃ）、ＩＰレイヤ（５１２ｄ）、Ｌ２レイヤ（５１２ｅ）、およびＬ１レイヤ（５１２ｆ）を含むコントロールプレーンプロトコルスタック（５１２）と
をさらに含む、請求項３０または３１に記載のスモールセルバックホールコントローラ。
【請求項３３】
スモールセルバックホールネットワーク（４０２）の一部であるスモールセルバックホールコントローラ（４１４）によって実施されるスモールセルバックホールソリューションを提供するための方法（８００）であって、前記スモールセルバックホールネットワーク（４０２）がまた、複数のスモールセル無線基地局（４１０ａ、４１０ｂ）と、スモールセルハブ（４１２）と、スモールセルバックホールストレージユニット（４１６）とを含み、前記スモールセルバックホールネットワークが、第３世代パートナーシッププロジェクト（３ＧＰＰ）コア（４０４）と対話するように構成されており、かつ、モバイルブロードバンドサービス（４０６）が前記３ＧＰＰコアによって複数の３ＧＰＰモバイル端末（４０８ａ、４０８ｂ）に提供されることを可能にするようにさらに構成されており、前記方法が、
前記スモールセルハブと前記複数のスモールセル無線基地局との間における少なくとも１つのワイヤレスリンク（４２０）をコントロールするステップ（８０２）を含み、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされる、方法（８００）。
【請求項３４】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項３３に記載の方法。
【請求項３５】
前記スモールセルバックホールコントローラが、
前記スモールセルハブとのインターフェースを取り、第１のインターネットプロトコル（ＩＰ）レイヤ（５１０ａ）、ＧＰＲＳトンネリングプロトコル（ＧＴＰ）レイヤ（５１０ｂ）、ユーザデータグラムプロトコル（ＵＤＰ）レイヤ（５１０ｃ）、第２のＩＰレイヤ（５１０ｄ）、Ｌ２レイヤ（５１０ｅ）、およびＬ１レイヤ（５１０ｆ）を含むユーザプレーンプロトコルスタック（５１０）と、
前記スモールセルハブとのインターフェースを取り、非アクセス層（ＮＡＳ）レイヤ（５１２ａ）、Ｓ１アプリケーションプロトコル（Ｓ１ＡＰ）レイヤ（５１２ｂ）、スチームコントロール伝送プロトコル（ＳＣＴＰ）レイヤ（５１２ｃ）、ＩＰレイヤ（５１２ｄ）、Ｌ２レイヤ（５１２ｅ）、およびＬ１レイヤ（５１２ｆ）を含むコントロールプレーンプロトコルスタック（５１２）とをさらに含む、請求項３３または３４に記載の方法。
【請求項３６】
スモールセルバックホールネットワーク（４０２）の一部であるスモールセルバックホールストレージユニット（４１６）であって、前記スモールセルバックホールネットワーク（４０２）がまた、複数のスモールセル無線基地局（４１０ａ、４１０ｂ）と、スモールセルハブ（４１２）と、スモールセルバックホールコントローラ（４１４）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されており、前記スモールセルバックホールストレージユニットが、
プロセッサ（４６２）と、
プロセッサ実行可能命令を格納するメモリ（４６４）とを含み、前記プロセッサが、前記メモリとのインターフェースを取り、前記プロセッサ実行可能命令を実行して、
前記スモールセルハブと前記複数のスモールセル無線基地局との間における少なくとも１つのワイヤレスリンク（４２０）に関連しているデータ（４２２）を保持すること（９０２）を可能にし、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされる、スモールセルバックホールストレージユニット（４１６）。
【請求項３７】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項３６に記載のスモールセルバックホールストレージユニット。
【請求項３８】
スモールセルバックホールネットワーク（４０２）の一部であるスモールセルバックホールストレージユニット（４１６）によって実施されるスモールセルバックホールソリューションを提供するための方法（９００）であって、前記スモールセルバックホールネットワーク（４０２）がまた、複数のスモールセル無線基地局（４１０ａ、４１０ｂ）と、スモールセルハブ（４１２）と、スモールセルバックホールコントローラ（４１４）とを含み、前記スモールセルバックホールネットワークが、第３世代パートナーシッププロジェクト（３ＧＰＰ）コア（４０４）と対話するように構成されており、かつ、複数の３ＧＰＰモバイル端末（４０８ａ、４０８ｂ）へのモバイルブロードバンドサービス（４０６）が前記３ＧＰＰコアによって提供されることを可能にするようにさらに構成されており、前記方法が、
前記スモールセルハブと前記複数のスモールセル無線基地局との間における少なくとも１つのワイヤレスリンク（４２０）に関連しているデータ（４２２）を保持するステップ（９０２）を含み、前記少なくとも１つのワイヤレスリンクが、前記３ＧＰＰコアから見られた場合には、前記少なくとも１つのワイヤレスリンクを実施するために実際に使用される無線テクノロジーを問わずに３ＧＰＰ無線ベアラとしてエミュレートされる、方法（９００）。
【請求項３９】
エアインターフェースを介した前記少なくとも１つのワイヤレスリンクが、ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されるが、前記３ＧＰＰコアから見られた場合には、ポイントツーマルチポイントワイヤレスリンクとしてエミュレートされる、請求項３８に記載の方法。
【発明の詳細な説明】
【技術分野】
【０００１】
優先権の主張
本出願は、（１）２０１２年７月１０日に出願された米国特許仮出願第６１／６６９，７３３号、および（２）２０１３年１月１１日に出願された米国特許仮出願第１３／７３９，０８５号の利益を主張する。これらの文書の内容は、参照によって本明細書に組み込まれている。
【０００２】
本発明は、３ＧＰＰコアと対話するように構成されていて、かつモバイルブロードバンドサービスが３ＧＰＰモバイル端末に提供されることを可能にするようにさらに構成されているスモールセルバックホールネットワークに関する。加えて、本発明は、スモールセルバックホールネットワークのコンポーネント、すなわち、スモールセル無線基地局、スモールセルハブ、スモールセルバックホールコントローラ、およびスモールセルバックホールストレージユニットに関する。
【背景技術】
【０００３】
これに伴って、下記の略語が定義されており、それらのうちの少なくともいくつかが、本発明の以降の説明内で言及されている。
３ＧＰＰ  第３世代パートナーシッププロジェクト
ＡＧＣＨ  アクセスグラントチャネル
ＥＣ  エミュレーテッドコア
ＥＰＣ  エンハンスドパワーコントロール
ＦＤＤ  周波数分割複信
ＧＴＰ  ＧＰＲＳトンネリングプロトコル
ＨＬＲ  ホームロケーションレジスタ
ＨＯＰ  高次プロビジョニング
ＨＳＰＡ  高速パケットアクセス
ＨＳＳ  ホームサブスクライバーレジスタ
ＩＥ  情報要素
ＩＭＳ  ＩＰマルチメディアサブシステム
ＩＭＴ  インターナショナルモバイルテレコミュニケーション
ＬＴＥ  ロングタームエボリューション
ＭＡＣ  メディアアクセスコントロール
ＭＢＢ  モバイルブロードバンド
ＭＢＨ  モバイルバックホール
ＭＭ  モビリティー管理
ＭＭＥ  モビリティー管理エンティティー
ＭＰＬＳ  マルチプロトコルラベルスイッチング
ＭＶＮＯ  モバイル仮想ネットワークオペレータ
ＭＷ  マイクロ波
ＮＡＳ  非アクセス層
ＮＧ  次世代
ＮＧＭＮ  次世代モバイルネットワーク
ＮＬＯＳ  非見通し／近見通し
ＯＳＳ  オペレーションサポートシステム
ＰＤＣＰ  パケットデータコンバージェンスプロトコル
ＰＤＵ  プロトコルデータユニット
ＱｏＳ  サービス品質
ＲＡ  無線アクセス
ＲＡＮ  無線アクセスネットワーク
ＲＢＳ  無線基地局
ＲＬＣ  無線リンクコントロール
ＲＲＣ  無線リソースコントロール
Ｓ１ＡＰ  Ｓ１アプリケーションプロトコル
ＳＣＢＨ  スモールセルバックホール
ＳＣＴＰ  ストリームコントロールトランスミッションプロトコル
ＳＧｗ  サービスゲートウェイ
ＳＯＮ  自己組織ネットワーキング
ＴＤＤ  時分割複信
ＵＥ  ユーザエンティティー／ユーザ機器（モバイル端末）
ＵＤＰ  ユーザデータグラムプロトコル
ＵＳＩＭ  ユーザサブスクライバーアイデンティティーモジュール
【０００４】
テレコミュニケーションの分野においては、スモールセルバックホールが、モバイルブロードバンドにおける重要な役割を果たしており、異種ネットワーク（時として、ヘットネットと呼ばれる）の導入に起因して重要性が高まっている。基本的に、スモールセルバックホールは、マクロセル無線基地局を補完する多くのスモールセル無線基地局の展開を含む。スモールセル無線基地局の展開は、高度に拡張可能でおよびフレキシブルなスモールセルバックホールソリューションを必要とする。スモールセルバックホーリングソリューションを実施するために今日使用されている主なアプローチは、既存のマクロセルバックホーリングソリューションをスケールダウンすることである。
【０００５】
図１（従来技術）を参照すると、例示的なワイヤレス通信システム１００の図があり、この図は、スモールセルバックホーリングソリューションを実施することに対するこの主なアプローチの基本的な特徴を示している。このアプローチにおいては、スモールＲＢＳ１０２が、ＭＢＨネットワーク１０４を介して３ＧＰＰコア１０６に接続されている。ＭＢＨ接続は通常、ＯＳＳ１０８またはその他の何らかのネットワーク管理ソリューションを利用して、スモールＲＢＳ１０２と３ＧＰＰコア１０６との間において事前に構成される。このＭＢＨ接続は、３ＧＰＰエアインターフェース１１２を介したモバイル端末１１０へのモバイルブロードバンド（ＭＢＢ）接続が動的にセットアップされることが可能になる上での基礎を形成する。
【０００６】
このアプローチにおいては、３ＧＰＰコア１０６は、スモールＲＢＳ１０２と連携して３ＧＰＰベアラ１１４を確立し、それらの３ＧＰＰベアラ１１４を通じて、ＭＢＢデータが、モバイル端末１１０と、たとえばインターネット１１４との間において流れることができる。これらの３ＧＰＰベアラ１１４の一部は、ＭＢＨ接続１１６を通じて、典型的には、パケットネットワークを横断するトンネル（たとえば、ＭＰＬＳベースのネットワークを横断するＧＴＰトンネル）として稼働する。この状況においては、従来のＭＢＨドメインと３ＧＰＰドメインとの間における接続のコントロールメカニズムにおける相違を既に見て取ることができる：
‐  ＭＢＨ接続１１６は、半静的であり、ＯＳＳ１０８によってコントロールされる。
‐  ３ＧＰＰベアラ１１４は、動的であり、３ＧＰＰモバイル端末１１０がＭＢＢリソースを要求したときには常に３ＧＰＰコア１０６およびスモールＲＢＳ１０２によって確立される。
【０００７】
この相違の結果として、ＭＢＨ接続１１６を、さらに動的なオンデマンドの方向に、すなわち、従来のＭＢＨ接続に対するよりも、ＭＢＢ接続に対する類似性を多く有するアプローチの方へ「押し出すこと」に対する関心が高まっている。このために、オペレータおよびシステムベンダーは、代替スモールセルバックホールソリューションに注目しており、次いでその代替スモールセルバックホールソリューションについて、図２（従来技術）に関連して説明する。
【０００８】
図２（従来技術）を参照すると、例示的なワイヤレス通信システム２００の図があり、この図は、この代替スモールセルバックホールソリューションの基本的な特徴を示している。このアプローチにおいては、スモールＲＢＳ２０４と、ＭＢＨネットワーク２０６（ＭＢＨクラウド２０６）の残りとの間における第１のＭＢＨバックホールリンク２０２が、ＬＴＥ  ＴＤＤワイヤレスリンク２０８、とりわけ、ハブ＆スポーク構造をサポートするものによって提供される。ＬＴＥ  ＴＤＤワイヤレスリンク２０８は、スモールＲＢＳ２０４において終端するスポークを有している。ＬＴＥ  ＴＤＤワイヤレスリンク２０８は、ＬＴＥ  ＴＤＤ  ＲＢＳ２１０において終端するハブを有している。典型的には、ＬＴＥ  ＴＤＤ  ＲＢＳ２１０は、スモールＲＢＳ２０４と接続するためにＮＬＯＳポイントツーマルチポイント無線リンク２０８の形態のＬＴＥ  ＴＤＤワイヤレスリンク２０８を使用する。スモールＲＢＳ２０４は、各自の移動局２１４（ＵＥ２１４）にＬＴＥ  ＦＤＤリンク２１２を提供する。
【０００９】
バックホールにおける「ＬＴＥ」、たとえば、この例におけるようなＬＴＥ  ＴＤＤ２０８の使用は、この接続の確立がセキュアにされなければならないということを意味し、これは、ＬＴＥ（３ＧＰＰ）コアを必要とする。さまざまな試みおよび発表において追求されている現在のソリューションにおいては、このＬＴＥ  ３ＧＰＰコア２１６は、本明細書においてＬＴＥ  ＴＤＤ  ＲＢＳ２１０として前述されているノードタイプにおいてエミュレートされる。加えて、第１のＭＢＨバックホールリンク２０２（たとえば、ＬＴＥ  ＴＤＤバックホールホップ２０２）は、ＬＴＥ  ＴＤＤ  ＵＥ相当物２１８をオリジナルのＬＴＥ  ＦＤＤ  ＲＢＳ２０４のうちのそれぞれの上に置き、次いでＬＴＥ  ＴＤＤ  ＲＢＳ２１０、およびとりわけ、エミュレートされたＬＴＥ  ３ＧＰＰコアエンティティー２１６（たとえば、エミュレートされたコア２１６）と連携して第１のＭＢＨバックホールリンク２０２を確立することによって実施されることが可能である。次いで、このスモールセルバックホールソリューションによって移動局２１４と３ＧＰＰコア２２２との間における接続がどのようにして確立されることが可能であるかを説明するためにステップごとの論考が提供される。それらのステップは、下記のとおりである：
１．  ＭＢＨ  ＯＳＳ２２０が、３ＧＰＰコア２２２とＬＴＥ  ＴＤＤ  ＲＢＳ２１０との間における接続を確立する。
２．  ＬＴＥ  ＴＤＤ  ＲＢＳのエミュレートされたコア２１６が、必要な３ＧＰＰコア機能を提供し、それによってＬＴＥ  ＴＤＤワイヤレスリンク２０８が、ＬＴＥ  ＴＤＤ  ＲＢＳ２１０とスモールＲＢＳ２０４との間において確立される。これで、スモールＲＢＳ２０４は、３ＧＰＰコア２２２への完全なＭＢＨ接続を有している。
ａ．  したがって、スモールＲＢＳ２０４のセルのためのＭＢＨ接続は、ＭＢＨ２２４およびＬＴＥ  ＴＤＤワイヤレスリンク２０８の組合せである。
３．  次いで、スモールＲＢＳ２０４は、３ＧＰＰシグナリングを利用して、３ＧＰＰコア２２２とのインターフェースを取り、各自の移動局２１４へのＭＢＢサービスのための３ＧＰＰ無線ベアラ２２６を確立する。
【００１０】
図３（従来技術）を参照すると、例示的なワイヤレス通信システム３００の図があり、この図は、さらに別の代替スモールセルバックホールソリューションの基本的な特徴を示しており、このさらに別の代替スモールセルバックホールソリューションは、図２のソリューションと同様の構成を有しているが、相違点として、ＬＴＥ  ＴＤＤ  ＲＢＳ２１０はもはや、エミュレートされたコア２１６が内部に配置されておらず、その代わりに、ＭＢＨネットワーク２０６（ＭＢＨクラウド２０６）内に配置されている別個の３ＧＰＰコア３０２（３ＧＰＰコア２として示されている）がある。この特定のソリューションは、３ＧＰＰ  ＴＲ  ３６．８０６「Ｒｅｌａｙ  Ａｒｃｈｉｔｅｃｔｕｒｅｓ  ｆｏｒ  Ｅ−ＵＴＲＡ（ＬＴＥ−Ａｄｖａｎｃｅｄ）」Ｖ．９．０．０、２０１０年３月（その内容は、参照によって本明細書に組み込まれている）において論じられている。次いで、このスモールセルバックホールソリューションによって移動局２１４と３ＧＰＰコア２２２との間における接続がどのようにして確立されることが可能であるかを説明するためにステップごとの論考が提供される。
１．  ＯＳＳ２２０が、３ＧＰＰコア２２２と３０２との間におけるＭＢＨ接続３０４（「ＭＢＨ１」）を確立する。
２．  ＯＳＳ２２０はまた、３ＧＰＰコア３０２とＬＴＥ  ＴＤＤ  ＲＢＳ２１０との間におけるＭＢＨ接続の別のレッグ３０６（「ＭＢＨ２」）を確立する。
３．  ３ＧＰＰコア３０２は、スモールセルバックホールベアラ３０８（「３ＧＰＰリレーベアラ」）をコントロールしてスモールＲＢＳ２０４への接続を確立するために使用される。
ａ．  したがって、スモールＲＢＳ２０４のＭＢＨ接続は、スモールセルバックホールベアラ３０８（部分的にＭＢＨ２を介して搬送される）およびＭＢＨ１の組合せである。
４．  これで、スモールＲＢＳ２０４は、各自の移動局２１４へのＭＢＢサービスのために３ＧＰＰベアラ３１０を確立するための、３ＧＰＰコア２２２に至るまでのすべての接続を有している。
【００１１】
これらのスモールセルバックホールソリューションは、ほとんどの用途において功を奏するが、これらのスモールセルバックホールソリューションを改良して、さらにフレキシブルなスモールセルバックホールソリューションを提供したいという要望が依然としてある。１つのそのような新たな改良されたスモールセルバックホールソリューションが、本発明の主題である。
【発明の概要】
【００１２】
従来のスモールセルバックホールネットワークを改良したものであるスモールセルバックホールネットワークが、本出願の独立請求項において記載されている。加えて、スモールセルバックホールネットワークのコンポーネント、すなわち、スモールセル無線基地局、スモールセルハブ、スモールセルバックホールコントローラ、スモールセルバックホールストレージユニット、およびそれらの関連付けられている方法も、本出願の独立請求項において記載されている。スモールセルバックホールネットワークのコンポーネント、すなわち、スモールセル無線基地局、スモールセルハブ、スモールセルバックホールコントローラ、スモールセルバックホールストレージユニット、およびそれらの関連付けられている方法を含むスモールセルバックホールネットワークの有利な実施形態が、本出願の従属請求項において記載されている。
【００１３】
一態様においては、本発明は、３ＧＰＰコアと対話するように構成されており、かつ、モバイルブロードバンドサービスが３ＧＰＰコアによって３ＧＰＰモバイル端末に提供されることを可能にするようにさらに構成されているスモールセルバックホールネットワークを提供する。このスモールセルバックホールネットワークは、複数のスモールセル無線基地局と、スモールセルハブと、スモールセルバックホールコントローラと、スモールセルバックホールストレージユニットとを含む。それぞれのスモールセル無線基地局は、それぞれの３ＧＰＰモバイル端末にリンクされている。スモールセルハブは、少なくとも１つのワイヤレスリンクを複数のスモールセル無線基地局に提供する。その少なくとも１つのワイヤレスリンクは、３ＧＰＰコアから見られた場合には、その少なくとも１つのワイヤレスリンクを実施するために実際に使用される無線テクノロジーを問わずに３ＧＰＰ無線ベアラとしてエミュレートされる。スモールセルバックホールコントローラは、スモールセルハブとスモールセル無線基地局との間における少なくとも１つのワイヤレスリンクをコントロールする。スモールセルバックホールコントローラは、スモールセルハブおよび３ＧＰＰコアの両方と対話する。スモールセルバックホールストレージユニットは、スモールセルハブとスモールセル無線基地局との間における少なくとも１つのワイヤレスリンクに関連しているデータを保持する。スモールセルバックホールストレージユニットは、スモールセルバックホールコントローラに結合されている。スモールセルバックホールネットワークの利点は、そのスモールセルバックホールネットワークが、多数の動的なスモールセルリンクを管理するために３ＧＰＰテクノロジーを効果的に「再利用する」ということである。
【００１４】
別の態様においては、本発明は、モバイルブロードバンドサービスが３ＧＰＰモバイル端末に提供されることを可能にするスモールセル無線基地局（およびそのスモールセル無線基地局によって実施される方法）を提供する。このスモールセル無線基地局は、プロセッサと、プロセッサ実行可能命令を格納するメモリとを含み、プロセッサは、メモリとのインターフェースを取り、プロセッサ実行可能命令を実行して、（ａ）リンク（たとえば、ＬＴＥ  ＦＤＤリンク）を３ＧＰＰモバイル端末に提供すること、および（ｂ）ワイヤレスリンクを介してスモールセルハブとのインターフェースを取ることというオペレーションを可能にする。そのワイヤレスリンクは、３ＧＰＰコアから見られた場合には、そのワイヤレスリンクを実施するために実際に使用される無線テクノロジー（たとえば、非ＩＭＴ帯域におけるＮＬＯＳ、ＷｉＦｉ）を問わずに３ＧＰＰ無線ベアラとしてエミュレートされる。加えて、スモールセル無線基地局は、３ＧＰＰコアから見られた場合には、レガシーユーザ機器としてエミュレートされる。スモールセル無線基地局の利点は、そのスモールセル無線基地局が、多数の動的なスモールセルリンクを管理するために３ＧＰＰテクノロジーを効果的に「再利用する」ということである。
【００１５】
別の態様においては、本発明は、モバイルブロードバンドサービスが３ＧＰＰモバイル端末に提供されることを可能にするスモールセルハブ（およびそのスモールセルハブによって実施される方法）を提供する。このスモールセルハブは、プロセッサと、プロセッサ実行可能命令を格納するメモリとを含み、プロセッサは、メモリとのインターフェースを取り、プロセッサ実行可能命令を実行して、（ａ）少なくとも１つのワイヤレスリンクをスモール無線基地局に提供することというオペレーションを可能にする。その少なくとも１つのワイヤレスリンクは、３ＧＰＰコアから見られた場合には、その少なくとも１つのワイヤレスリンクを実施するために実際に使用される無線テクノロジー（たとえば、非ＩＭＴ帯域におけるＮＬＯＳ、ＷｉＦｉ）を問わずに３ＧＰＰ無線ベアラとしてエミュレートされる。加えて、スモールセルハブは、３ＧＰＰコアから見られた場合には、レガシー無線基地局としてエミュレートされる。スモールセルハブの利点は、そのスモールセルハブが、多数の動的なスモールセルリンクを管理するために３ＧＰＰテクノロジーを効果的に「再利用する」ということである。
【００１６】
別の態様においては、本発明は、モバイルブロードバンドサービスが３ＧＰＰモバイル端末に提供されることを可能にするスモールセルバックホールコントローラ（およびそのスモールセルバックホールコントローラによって実施される方法）を提供する。このスモールセルバックホールコントローラは、プロセッサと、プロセッサ実行可能命令を格納するメモリとを含み、プロセッサは、メモリとのインターフェースを取り、プロセッサ実行可能命令を実行して、（ａ）スモールセルハブとスモールセル無線基地局との間における少なくとも１つのワイヤレスリンクをコントロールすることというオペレーションを可能にする。その少なくとも１つのワイヤレスリンクは、３ＧＰＰコアから見られた場合には、その少なくとも１つのワイヤレスリンクを実施するために実際に使用される無線テクノロジー（たとえば、非ＩＭＴ帯域におけるＮＬＯＳ、ＷｉＦｉ）を問わずに３ＧＰＰ無線ベアラとしてエミュレートされる。スモールセルハブの利点は、そのスモールセルハブが、多数の動的なスモールセルリンクを管理するために３ＧＰＰテクノロジーを効果的に「再利用する」ということである。
【００１７】
別の態様においては、本発明は、モバイルブロードバンドサービスが３ＧＰＰモバイル端末に提供されることを可能にするスモールセルバックホールストレージユニット（およびそのスモールセルバックホールストレージユニットによって実施される方法）を提供する。このスモールセルバックホールストレージユニットは、プロセッサと、プロセッサ実行可能命令を格納するメモリとを含み、プロセッサは、メモリとのインターフェースを取り、プロセッサ実行可能命令を実行して、（ａ）スモールセルハブとスモールセル無線基地局との間における少なくとも１つのワイヤレスリンクに関連しているデータを保持することというオペレーションを可能にする。その少なくとも１つのワイヤレスリンクは、３ＧＰＰコアから見られた場合には、その少なくとも１つのワイヤレスリンクを実施するために実際に使用される無線テクノロジー（たとえば、非ＩＭＴ帯域におけるＮＬＯＳ、ＷｉＦｉ）を問わずに３ＧＰＰ無線ベアラとしてエミュレートされる。スモールセルバックホールストレージユニットの利点は、そのスモールセルバックホールストレージユニットが、多数の動的なスモールセルリンクを管理するために３ＧＰＰテクノロジーを効果的に「再利用する」ということである。
【００１８】
本発明のさらなる態様は、部分的には、以降の詳細な説明、図、およびあらゆる請求項において記載され、部分的には、詳細な説明から導き出され、または本発明を実施することによって知ることができる。上述の概要および以降の詳細な説明は両方とも、例示的および説明的なものにすぎず、開示される本発明を限定するものではないということを理解されたい。
【００１９】
以降の詳細な説明を参照して添付の図面と関連させて理解することによって、本発明のさらに完全な理解を得ることができる。
【図面の簡単な説明】
【００２０】
【図１】従来のスモールセルバックホーリングソリューションの基本的な特徴を説明するために使用される例示的なワイヤレス通信システムの図である（従来技術）。
【図２】別の従来のスモールセルバックホーリングソリューションの基本的な特徴を説明するために使用される例示的なワイヤレス通信システムの図である（従来技術）。
【図３】さらに別の従来のスモールセルバックホーリングソリューションの基本的な特徴を説明するために使用される例示的なワイヤレス通信システムの図である（従来技術）。
【図４】本発明の一実施形態に従って構成されているスモールセルバックホーリングネットワークを組み込んでいる例示的なワイヤレス通信システムの図である。
【図５】本発明の一実施形態による、図４において示されているスモールセルバックホーリングネットワークのコンポーネント、すなわち、スモールセル無線基地局、スモールセルハブ、およびスモールセルバックホールコントローラに関連付けられている例示的なプロトコルスタックを示す図である。
【図６】本発明の一実施形態による、スモールセル無線基地局によって実行されるスモールセルバックホールソリューション方法の例示的なステップを示すフローチャートである。
【図７】本発明の一実施形態による、スモールセルハブによって実行されるスモールセルバックホールソリューション方法の例示的なステップを示すフローチャートである。
【図８】本発明の一実施形態による、スモールセルバックホールコントローラによって実行されるスモールセルバックホールソリューション方法の例示的なステップを示すフローチャートである。
【図９】本発明の一実施形態による、スモールセルバックホールストレージユニットによって実行されるスモールセルバックホールソリューション方法の例示的なステップを示すフローチャートである。
【図１０】２つの従来技術のスモールセルバックホールソリューションと、新たなスモールセルバックホーリングネットワークとを比較する（それらのすべてが、３ＧＰＰコアネットワークとのインターフェースを取って、３ＧＰＰモバイル端末がインターネットとのインターフェースを取ることを可能にしている）、スモールセルバックホールコントロールアーキテクチャーを示す基本的な図である。
【発明を実施するための形態】
【００２１】
図４を参照すると、本発明の一実施形態に従って構成されているスモールセルバックホーリングネットワーク４０２を組み込んでいる例示的なワイヤレス通信システム４００の図がある。スモールセルバックホールネットワーク４０２は、３ＧＰＰコア４０４と対話するように構成されており、また、モバイルブロードバンドサービス４０６が３ＧＰＰコア４０４によって３ＧＰＰモバイル端末４０８ａおよび４０８ｂ（たとえば、ＵＥ、モバイル電話、スマートフォン、ラップトップ、携帯情報端末）に提供されることを可能にするようにさらに構成されている。示されているように、スモールセルバックホールネットワーク４０２は、複数のスモールセル無線基地局４１０ａおよび４１０ｂ（２つしか示されていない）、スモールセルハブ４１２、スモールセルバックホールコントローラ４１４、およびスモールセルバックホールストレージユニット４１６を含む。スモールセル無線基地局４１０ａおよび４１０ｂは、ＬＴＥ  ＦＤＤ（またはその他の３ＧＰＰ）ワイヤレスリンク４１８ａおよび４１８ｂを各自の３ＧＰＰモバイル端末４０８ａおよび４０８ｂに提供する。スモールセルハブ４１２は、少なくとも１つのワイヤレスリンク４２０をスモールセル無線基地局４１０ａおよび４１０ｂに提供する。スモールセルバックホールコントローラ４１４は、スモールセルハブ４１２および３ＧＰＰコア４０４の両方と対話する。とりわけ、スモールセルバックホールコントローラ４１４は、スモールセルハブ４１２とスモールセル無線基地局４１０ａおよび４１０ｂとの間における少なくとも１つのワイヤレスリンク４２０をコントロールする。スモールセルハブ４１２およびスモールセルバックホールコントローラ４１４は、モバイルバックホールネットワーク４１３内に配置されている。スモールセルバックホールストレージユニット４１６は、スモールセルハブ４１２とスモールセル無線基地局４１０ａおよび４１０ｂとの間における少なくとも１つのワイヤレスリンク４２０に関連しているデータ４２２を保持する。コンポーネント４１０ａ、４１０ｂ、４１２、４１４、および４１６のそれぞれに関する詳細な論考が以降で提供され、その前に、この新たな改良されたスモールセルバックホールネットワーク４０２によって３ＧＰＰモバイル端末４０８ａおよび４０８ｂと３ＧＰＰコア４０４との間における接続がどのようにして確立されることが可能であるかを説明するためにステップごとの論考が提供される。
１．  ＯＳＳ４２４が、３ＧＰＰコア４０４とスモールセルバックホールコントローラ４１４との間におけるＭＢＨ接続４２６（「ＭＢＨ１」）を確立する。これは、スモールセル無線基地局４１０ａおよび４１０ｂの展開の前に行われることになる。
２．  スモールセルバックホールコントローラ４１４ならびにスモールセル無線基地局４１０ａおよび４１０ｂは、ＯＳＳ４２４の介入を伴わずに別のレッグ４２８（「ＭＢＨ２」）を確立する（注：  ＯＳＳ４２４は、別法として、少なくとも１つのワイヤレスリンク４２０をコントロールするためにＯＳＳ４２４が使用される場合にのみレッグ４２８（「ＭＢＨ２」）を確立することもできる）。それぞれのスモールセル無線基地局４１０ａおよび４１０ｂは、マクロ３ＧＰＰセル４１３よりも小さいエリアを有するそれぞれのスモールセル４１１ａおよび４１１ｂのためのカバレッジを提供する。マクロ無線基地局４１５が、典型的にはスモールセル４１１ａおよび４１１ｂのカバレッジエリアと重なるエリアをカバーするマクロ３ＧＰＰセル４１３のためのカバレッジを提供する。
３〜４．  ３ＧＰＰコアのコントロール部分（たとえばＭＭＥ）をエミュレートするスモールセルバックホールコントローラ４１４は、（スモールセルハブ４１２とスモールセル無線基地局４１０ａおよび４１０ｂとの間における）エミュレートされた３ＧＰＰ無線ベアラ４３０を確立し、（スモールセルバックホールコントローラ４１４とスモールセル無線基地局４１０ａおよび４１０ｂとの間における）エミュレートされた３ＧＰＰベアラ４３２を確立する。これは、３ＧＰＰ  ＵＥの動作をエミュレートするスモールセル無線基地局４１０ａおよび４１０ｂと連携して行われる。スモールセルバックホールコントローラ４１４は、別個の新たなノード内に、または３ＧＰＰコア４０４などの既存のノード内に実装されることが可能である３ＧＰＰコアインスタンスであるということに留意されたい。これらのステップは、従来技術のスモールセルバックホールソリューションに勝る際立った改良であり、ステップ３〜４を可能にするためにスモールセルバックホールネットワーク４０２がどのように構成されるかに関するさらに詳細な説明が、以降で提供される。
５．  これで、スモールセル無線基地局４１０ａおよび４１０ｂは、各自の３ＧＰＰモバイル端末４０８ａおよび４０８ｂへのＭＢＢサービス４０６のために３ＧＰＰベアラ４３４を確立するための、３ＧＰＰコア４０４に至るまでのすべての接続を有している。
【００２２】
エアインターフェースを介する少なくとも１つのワイヤレスリンク４２０は、（本明細書において以降で論じられているような）ポイントツーマルチポイントワイヤレスリンク、少なくとも１つのポイントツーポイントワイヤレスリンク、ポイントツーマルチポイントワイヤレスリンクと少なくとも１つのポイントツーポイントワイヤレスリンクとの組合せ、非ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域における非見通し／近見通し（ＮＬＯＳ）、またはＷｉＦｉとして実施されることが可能であるが、少なくとも１つのワイヤレスリンク４２０は、３ＧＰＰコアから見られた場合には、ポイントツーマルチポイントワイヤレスリンクとしてエミュレートされるということに留意されたい。言い換えれば、スモールセルハブ４１３とスモールセル無線基地局４１０ａおよび４１０ｂとの間における実際のワイヤレスリンク４２０（エアインターフェース）は、何らかのポイントツーポイントテクノロジーに基づくことが可能であるが、バックホーリングの観点からは、スモールセルハブ４１２そのものが、その名前が意味するとおりに、すなわち、複数のスモールセル無線基地局４１０ａおよび４１０ｂをワイヤレス／モバイルシステムの残り（たとえば、３ＧＰＰコア４０４）に接続する目的で複数のスモールセル無線基地局４１０ａおよび４１０ｂが接続されるポイントとして機能する。
【００２３】
スモールセルバックホールネットワークのコンポーネント、すなわち、スモールセル無線基地局４１０ａおよび４１０ｂ、スモールセルハブ４１２、スモールセルバックホールコントローラ４１４、ならびにスモールセルバックホールストレージユニット４１６は、下記のような特徴／機能を有する：
１．  スモールセル無線基地局４１０ａおよび４１０ｂはそれぞれ、ポイントツーマルチポイントワイヤレスリンク４２０を介してネットワークの残りにリンクされる。
１．１  ３ＧＰＰコア４０４の観点からは、それぞれのスモールセル無線基地局４１０ａおよび４１０ｂは、普通の３ＧＰＰ  ＵＥとしてモデル化される。
１．２  それぞれのスモールセル無線基地局４１０ａおよび４１０ｂの３ＧＰＰ  ＮＡＳ部分は、基地局４１０ａおよび４１０ｂそのものにおいて実装される必要はなく、スモールセルハブ４１２においてエミュレートされることが可能である。以降で論じられているように、この特徴は、さまざまな理由からＮＡＳを用いて修正されることが不可能であるレガシー無線ベアラのケースにおいて特に有利である。
注：  スモールセルハブ４１２と、そのスモールセルハブ４１２に接続されているスモールセル無線基地局４１０ａおよび４１０ｂとの間におけるエアインターフェースは、ポイントツーポイント無線エアテクノロジーに基づくことが可能である。なぜなら、そのケースにおいてさえ、スモールセルハブ４１２は依然として、複数のスモールセル無線基地局４１０ａおよび４１０ｂがネットワークの残り、すなわち３ＧＰＰコア４０４に接続されるポイントとして機能するためである。上述したように、３ＧＰＰコア４０４は、バックホーリングトポロジーの観点からは、このワイヤレスリンク４２０（エアインターフェース）をポイントツーマルチポイントワイヤレスリンクと解釈する。
２．  スモールセルハブ４１２は、スモールセル無線基地局４１０ａおよび４１０ｂと、モバイルネットワークの残りとの間におけるアグリゲーションポイントおよびリンクを形成する。
２．１  ３ＧＰＰコア４０４の観点からは、スモールセルハブ４１２は、普通の無線基地局としてモデル化される。
２．２  スモールセルハブ４１２は、通常は（３ＧＰＰコア４０４の観点からは３ＧＰＰ  ＵＥとしてモデル化されている）スモールセル無線基地局４１０ａおよび４１０ｂ上で実施されると予想される３ＧＰＰの動作の一部（たとえば、ＮＡＳ）をエミュレートすることができる。たとえば、スモールセルハブ４１２は、スモールセルバックホールコントローラ４１４から開始されるＮＡＳシグナリングの少なくとも一部をスモールセル無線基地局４１０ａおよび４１０ｂから隠すＮＡＳブリッジ４４０を含む（図５を参照されたい）。とりわけ、ＮＡＳブリッジ４４０は、スモールセルバックホールコントローラ４１４に対してＮＡＳ  ＵＥエンティティーをエミュレートすることができる。加えて、ＮＡＳブリッジ４４０は、ＮＡＳ  ＰＤＵ  ＩＥを開始および終了するように構成されている。
３．  ポイントツーマルチポイントワイヤレスリンク４２０は、スモールセル無線基地局４１０ａおよび４１０ｂをスモールセルハブ４１２に接続する。
３．１  ３ＧＰＰコア４０４の観点からは、ポイントツーマルチポイントワイヤレスリンク４２０は、ポイントツーマルチポイントワイヤレスリンク４２０を実施するために実際に使用される無線テクノロジーを問わずに３ＧＰＰ無線ベアラ（普通のＬＴＥ無線ベアラ）としてエミュレートされる。たとえば、このリンクを実施するために使用されることが可能であるその他の無線テクノロジーとしては、ＩＭＴ帯域におけるＮＬＯＳ、およびＷｉＦｉなどが含まれる。
３．１．１．  スモールセル無線基地局４１０ａおよび４１０ｂならびにスモールセルハブ４１２が互いを見つけ、関連させ、接続する様式は、３ＧＰＰ  ＵＥおよび対応する３ＧＰＰ無線基地局がそれぞれ互いを見つけ、関連させ、接続する様式に類似している。たとえば、３ＧＰＰセル再選択は、スモールセル無線基地局４１０ａおよび４１０ｂが自分の接続を１つのスモールセルハブ４１２から別のスモールセルハブ（図示せず）へ変更することに対応する。
３．１．２  ＬＴＥベースバンドおよび３ＧＰＰの低位のプロトコルスタックの部分（たとえば、ＰＤＣＰ、ＲＬＣ、ＭＡＣ、ＲＲＣ）は、ポイントツーマルチポイントワイヤレスリンク４２０をコントロールするためにスモールセル無線基地局４１０ａおよび４１０ｂならびにスモールセルハブ４１２において再利用されることが可能である。あるいは、コントロールおよび／またはデータプレーンプロトコルは、非３ＧＰＰであることも可能である。
４．  スモールセルバックホールコントローラ４１４は、スモールセル無線基地局４１０ａおよび４１０ｂならびにスモールセルハブ４１２との対話を用いてポイントツーマルチポイントワイヤレスリンク４２０をコントロールする。
４．１  スモールセルバックホールコントローラ４１４は、データプレーンエンティティー４３６（ユーザプレーンエンティティー４３６）およびコントロールプレーンエンティティー４３８を含む。スモールセルバックホールコントローラ４１４は、たとえばＭＭＥ、ＳＧｗ等などの３ＧＰＰコアネットワークテクノロジーを使用して実装される。３ＧＰＰテクノロジーと同様に、スモールセルバックホールコントローラのデータプレーンエンティティー４３６およびコントロールプレーンエンティティー４３８は、同じ物理的なノード上に配置される必要はない。
４．２  スモールセルバックホールコントローラ４１４は、スモールセルハブ４１２とのコントロールプレーン対話において、およびポイントツーマルチポイントワイヤレスリンク４２０に関連付けられているリソース（無線ベアラ）をコントロールする際にＳ１ＡＰ標準（Ｓ１アプリケーションプロトコル（Ｓ１ＡＰ）、３ＧＰＰ  ３６．４１３、Ｖ１０．６．０、２０１２年６月、その内容は、参照によって本明細書に組み込まれている）を採用することができる。
４．３  同様に、スモールセルバックホールコントローラ４１４は、コントロールプレーンにおいてスモールセル無線基地局４１０ａおよび４１０ｂと対話するために標準的なＮＡＳシグナリングを採用することができる。
４．３．１  これは、非ＩＭＴ無線ベアラを取り扱う目的で、既存の３ＧＰＰ  ＮＡＳの適合、または任意の新たなＮＡＳの定義を除外しない。
４．３．２  ＮＡＳシグナリングの終了は、スモールセルハブ４１２そのものの上で行われることが可能である（項目２．２における説明を参照されたい）。
４．４  スモールセルバックホールコントローラ４１４およびスモールセルバックホールストレージユニット４１６は、既存の３ＧＰＰコアネットワークにおいてＭＶＮＯエンティティーとして実装されることが可能である（図１０を参照されたい）。
５．  スモールセルバックホールストレージユニット４１６は、スモールセル無線基地局４１０ａおよび４１０ｂに関連しているプロビジョニングおよびその他のデータ４２２、ならびに、スモールセル無線基地局４１０ａおよび４１０ｂがスモールセルハブ４１２とともに利用するポイントツーマルチポイントワイヤレスリンク４２０の特徴（たとえば、ＱｏＳ、帯域幅、およびその他）を含む。
５．１  スモールセルバックホールストレージユニット４１６は、３ＧＰＰコアネットワークテクノロジー、たとえば、ＨＳＳ、ＨＬＲを使用して実装される。
５．１．１  したがって、スモールセルバックホールストレージユニット４１６においては、スモールセル無線基地局４１０ａおよび４１０ｂは、普通の３ＧＰＰ  ＵＥとしてモデル化される。
【００２４】
図５を参照すると、本発明の一実施形態による、スモールセル無線基地局のユーザプレーンプロトコルスタック５０２およびコントロールプレーンプロトコルスタック５０４、スモールセルハブのユーザプレーンプロトコルスタック５０６およびコントロールプレーンプロトコルスタック５０８、ならびに、スモールセルバックホールコントローラのユーザプレーンプロトコルスタック５１０およびコントロールプレーンプロトコルスタック５１２の一例を示す図がある。この例においては、ポイントツーマルチポイントワイヤレスリンク４２０（たとえば、ＮＬＯＳ  Ｐ２ＭＰリンク４２０）のＵＥ側を実施しているスモールセル無線基地局４１０ａが、ＰＤＣＰ’、ＲＬＣ’、ＭＡＣ’、およびＰｈｙ’としてマークされているさまざまなプロトコルオプションを利用して示されている。とりわけ、スモールセル無線基地局４１０ａは、ＩＰレイヤ５０２ａと、ＰＤＣＰレイヤ５０２ｂと、ＲＬＣレイヤ５０２ｃと、ＭＡＣレイヤ５０２ｄと、物理レイヤ５０２ｅとを含むユーザプレーンプロトコルスタック５０２を組み込んで示されている。さらに、スモールセル無線基地局４１０ａ／４１０ｂは、ＮＡＳレイヤ５０４ａと、ＲＲＣレイヤ５０４ｂと、ＰＤＣＰレイヤ５０４ｃと、ＲＬＣレイヤ５０４ｄと、ＭＡＣレイヤ５０４ｅと、物理レイヤ５０４ｆとを含むコントロールプレーンプロトコルスタック５０４を組み込んでいる。スモールセル無線基地局４１０ｂ（およびその他のスモールセル無線基地局）も、同じユーザプレーンプロトコルスタック５０２、および同じコントロールプレーンプロトコルスタック５０４を組み込む。
【００２５】
この例においては、スモールセルハブ４１２は、部分５０６’を有するユーザプレーンプロトコルスタック５０６を組み込んでおり、部分５０６’は、スモールセル無線基地局４１０ａおよび４１０ｂのユーザプレーンプロトコルスタック５０２とのインターフェースを取り、ＰＤＣＰレイヤ５０６ａ’、ＲＬＣレイヤ５０６ｂ’、ＭＡＣレイヤ５０６ｃ’、および物理レイヤ５０６ｄ’を含む。スモールセルハブ４１２のユーザプレーンプロトコルスタック５０６は、別の部分５０６’’を有しており、別の部分５０６’’は、スモールセルバックホールコントローラ４１４のユーザプレーンプロトコルスタック５１０とのインターフェースを取り、ＧＴＰレイヤ５０６ａ’’、ＵＤＰレイヤ５０６ｂ’’、ＩＰレイヤ５０６ｃ’’、Ｌ２レイヤ５０６ｄ’’、およびＬ１レイヤ５０６ｅ’’を含む。さらに、スモールセルハブ４１２は、部分５０８’を有するコントロールプレーンプロトコルスタック５０８を組み込んでおり、部分５０８’は、スモールセル無線基地局４１０ａおよび４１０ｂのコントロールプレーンプロトコルスタック５０４とのインターフェースを取り、ＮＡＳプロキシレイヤ５０８ａ’、ＲＲＣレイヤ５０８ｂ’、ＰＤＣＰレイヤ５０８ｃ’、ＲＬＣレイヤ５０８ｄ’、ＭＡＣレイヤ５０８ｅ’、および物理レイヤ５０８ｆ’を含む。スモールセルハブ４１２のコントロールプレーンプロトコルスタック５０８は、別の部分５０８’’を有しており、別の部分５０８’’は、スモールセルバックホールコントローラ４１４のコントロールプレーンプロトコルスタック５１２とのインターフェースを取り、Ｓ１ＡＰレイヤ５０８ａ’’、ＳＣＴＰレイヤ５０８ｂ’’、ＩＰレイヤ５０８ｃ’’、Ｌ２レイヤ５０８ｄ’’、およびＬ１レイヤ５０８ｅ’’を含む。ポイントツーマルチポイントワイヤレスリンク４２０（たとえば、ＮＬＯＳ  Ｐ２ＭＰ４２０）は、スモールセル無線基地局４１０ａおよび４１０ｂの物理レイヤ５０２ｅおよび５０４ｆと、スモールセルハブ４１２の物理レイヤ５０６ｄ’および５０８ｆ’との間において形成される。あるいは、スモールセル無線基地局４１０ａおよび４１０ｂならびにスモールセルハブ４１２は、必要に応じて、マークされているＰＤＣＰ’、ＲＬＣ’、ＭＡＣ’、Ｐｈｙ’などに対応する自分自身のバージョンのプロトコルを実施することができる。
【００２６】
スモールセルバックホールコントローラ４１４は、ユーザプレーンプロトコルスタック５１０を組み込んでおり、ユーザプレーンプロトコルスタック５１０は、スモールセルハブ４１２のユーザプレーンプロトコルスタック５０６とのインターフェースを取り、第１のＩＰレイヤ５１０ａ、ＧＴＰレイヤ５１０ｂ、ＵＤＰレイヤ５１０ｃ、第２のＩＰレイヤ５１０ｄ、Ｌ２レイヤ５１０ｅ、およびＬ１レイヤ５１０ｆを含む。さらに、スモールセルバックホールコントローラ４１４は、コントロールプレーンプロトコルスタック５１２を組み込んでおり、コントロールプレーンプロトコルスタック５１２は、スモールセルハブ４１２のコントロールプレーンプロトコルスタック５０８とのインターフェースを取り、ＮＡＳレイヤ５１２ａ、Ｓ１ＡＰレイヤ５１２ｂ、ＳＣＴＰレイヤ５１２ｃ、ＩＰレイヤ５１２ｄ、Ｌ２レイヤ５１２ｅ、およびＬ１レイヤ５１２ｆを含む。
【００２７】
図５において見て取ることができるように、ＮＡＳの役割は、下記の機能を伴ってＮＡＳブリッジ４４０として機能するスモールセルハブ４１２のコントロールプレーンエンティティー５０８によってエミュレートされる：
‐  ＮＡＳブリッジ４４０は、ネットワークのコアに対して、すなわち、スモールセルバックホールコントローラ４１４に対してＮＡＳ  ＵＥエンティティーをエミュレートする。
‐  ＮＡＳブリッジ４４０は、スモールセル無線基地局４１０ａおよび４１０ｂに対して、通常は３ＧＰＰ  ＵＥと３ＧＰＰ  ＭＭＥとの間において生じるＮＡＳシグナリングのすべてまたは一部を隠す。それぞれのスモールセル無線基地局４１０ａおよび４１０ｂは、３ＧＰＰコア４０４の観点からは普通の３ＧＰＰ  ＵＥとしてモデル化されるということを思い出していただきたい。加えて、スモールセルバックホールコントローラ４１４は、３ＧＰＰ  ＭＭＥテクノロジーを使用して実装されることが可能である。
‐  ＮＡＳブリッジ４４０は、たとえば、通常は３ＧＰＰ  ＭＭＥと３ＧＰＰ  ＵＥとの間におけるメッセージのやり取りのために３ＧＰＰにおいて使用されるＮＡＳ  ＰＤＵ  ＩＥを開始および終了する。
‐  スモールセルハブ４１２は、自分がスモールセル無線基地局４１０ａおよび４１０ｂの機能に関して何を知っているか、または何を見つけ出すかに基づいて、それらの特定のスモールセル無線基地局４１０ａおよび４１０ｂに関するＮＡＳブリッジ４４０の機能、および、スモールセル無線基地局４１０ａおよび４１０ｂとスモールセルハブ４１２との間におけるポイントツーマルチポイントワイヤレスリンク４２０をアクティブ化することができる。
【００２８】
図６を参照すると、本発明の一実施形態による、（たとえば）スモールセル無線基地局４１０ａによって実行されるスモールセルバックホールソリューション方法６００の例示的なステップを示すフローチャートがある。スモールセル無線基地局４１０ａは、プロセッサ４５０と、プロセッサ実行可能命令を格納するメモリ４５２とを含み、プロセッサ４５０は、メモリ４５２とのインターフェースを取り、プロセッサ実行可能命令を実行して、（ａ）リンク４１８ａ（ＬＴＥ  ＦＤＤリンク４１８ａ）を３ＧＰＰモバイル端末４０８ａに提供すること（ステップ６０２）、および（ｂ）ポイントツーマルチポイントワイヤレスリンク４２０を介してスモールセルハブ４１２とインターフェースを取ること（ステップ６０４）というオペレーションを可能にする。ポイントツーマルチポイントワイヤレスリンク４２０は、３ＧＰＰコア４０４から見られた場合には、ポイントツーマルチポイントワイヤレスリンク４２０を実施するために実際に使用される無線テクノロジー（たとえば、ＩＭＴ帯域におけるＮＬＯＳ、ＷｉＦｉ）を問わずに３ＧＰＰ無線ベアラとしてエミュレートされるということを思い出していただきたい。加えて、スモールセル無線基地局４１０ａは、３ＧＰＰコア４０４から見られた場合には、レガシーユーザ機器としてエミュレートされる。
【００２９】
図７を参照すると、本発明の一実施形態による、スモールセルハブ４１２によって実行されるスモールセルバックホールソリューション方法７００の例示的なステップを示すフローチャートがある。スモールセルハブ４１２は、プロセッサ４５４と、プロセッサ実行可能命令を格納するメモリ４５６とを含み、プロセッサ４５４は、メモリ４５６とのインターフェースを取り、プロセッサ実行可能命令を実行して、（ａ）ポイントツーマルチポイントワイヤレスリンク４２０をスモール無線基地局４１０ａおよび４１０ｂに提供すること（ステップ７０２）というオペレーションを可能にする。ポイントツーマルチポイントワイヤレスリンク４２０は、３ＧＰＰコア４０４から見られた場合には、ポイントツーマルチポイントワイヤレスリンク４２０を実施するために実際に使用される無線テクノロジー（たとえば、ＩＭＴ帯域におけるＮＬＯＳ、ＷｉＦｉ）を問わずに３ＧＰＰ無線ベアラとしてエミュレートされるということを思い出していただきたい。加えて、スモールセルハブ４１２は、３ＧＰＰコア４０４から見られた場合には、レガシー無線基地局としてエミュレートされる。
【００３０】
図８を参照すると、本発明の一実施形態による、スモールセルバックホールコントローラ４１４によって実行されるスモールセルバックホールソリューション方法８００の例示的なステップを示すフローチャートがある。スモールセルバックホールコントローラ４１４は、プロセッサ４５８と、プロセッサ実行可能命令を格納するメモリ４６０とを含み、プロセッサ４５８は、メモリ４６０とのインターフェースを取り、プロセッサ実行可能命令を実行して、（ａ）スモールセルハブ４１２とスモールセル無線基地局４１０ａおよび４１０ｂとの間におけるポイントツーマルチポイントワイヤレスリンク４２０をコントロールすること（ステップ８０２）というオペレーションを可能にする。ポイントツーマルチポイントワイヤレスリンク４２０は、３ＧＰＰコア４０４から見られた場合には、ポイントツーマルチポイントワイヤレスリンク４２０を実施するために実際に使用される無線テクノロジー（たとえば、ＩＭＴ帯域におけるＮＬＯＳ、ＷｉＦｉ）を問わずに３ＧＰＰ無線ベアラとしてエミュレートされるということを思い出していただきたい。
【００３１】
図９を参照すると、本発明の一実施形態による、スモールセルバックホールストレージユニット４１６によって実行されるスモールセルバックホールソリューション方法９００の例示的なステップを示すフローチャートがある。スモールセルバックホールストレージユニット４１６は、プロセッサ４６２と、プロセッサ実行可能命令を格納するメモリ４６４とを含み、プロセッサ４６２は、メモリ４６４とのインターフェースを取り、プロセッサ実行可能命令を実行して、（ａ）スモールセルハブ４１２とスモールセル無線基地局４１０ａおよび４１０ｂとの間におけるポイントツーマルチポイントワイヤレスリンク４２０に関連しているデータ４２２を保持すること（ステップ９０２）というオペレーションを可能にする。ポイントツーマルチポイントワイヤレスリンク４２０は、３ＧＰＰコア４０４から見られた場合には、ポイントツーマルチポイントワイヤレスリンク４２０を実施するために実際に使用される無線テクノロジー（たとえば、ＩＭＴ帯域におけるＮＬＯＳ、ＷｉＦｉ）を問わずに３ＧＰＰ無線ベアラとしてエミュレートされるということを思い出していただきたい。
【００３２】
図１０を参照すると、２つの従来技術のスモールセルバックホールソリューション１００２および１００４と、新たなスモールセルバックホーリングネットワーク４０２とを比較する（それらのすべてが、３ＧＰＰコアネットワーク１００６とのインターフェースを取って、３ＧＰＰモバイル端末１００７（１つ示されている）がインターネット１００９とのインターフェースを取ることを可能にしている）、スモールセルバックホールコントロールアーキテクチャーを示す基本的な図がある。示されているように、３ＧＰＰコアネットワーク１００６は、ＭＭＥ１００８、ＳＧＷ１０１０、ＨＬＲ／ＨＳＳ１０１２、ＭＭ／ＭＭＡ１０１４、ＲＡ１０１６、およびＯＳＳ／ＢＳＳ１０１８を含むが、３ＧＰＰコアネットワーク１００６は、その他のよく知られているコンポーネントも含むということを当業者なら理解するであろう。第１の従来技術のスモールセルバックホールソリューション１００２は、ＭＷ１０２０、固定されたネットワークＯＳＳ１０２２、モバイルＯＳＳ１０２４、およびスモールセル無線基地局のＭＷ１０２６を含み、当業者なら、このアーキテクチャーを容易に認識するであろう。第２の従来のスモールセルバックホールソリューション１００４は、ＬＴＥ  ＴＤＤ  ＲＢＳ／スモールＥＰＣ１０２８、およびスモールセル無線基地局のＬＴＥ  ＴＤＤ１０３０を含み、当業者なら、このアーキテクチャーを容易に認識するであろう。上述したように、新たなスモールセルバックホーリングネットワーク４０２は、スモールセル無線基地局４１０ａ（３ＧＰＰコアネットワーク１００６に対してＬＴＥ非ＩＭＴ／３ＧＧＰ  ＵＥとしてモデル化されている）、スモールセルハブ４１２、スモールセルバックホールコントローラ４１４、およびスモールセルバックホールストレージユニット４１６を含む。
【００３３】
以降は、オペレータがスモールセルバックホーリングネットワーク４０２を展開することができる１つの方法に関する論考である：
１．  オペレータは、スモールセル無線基地局４１０ａおよび４１０ｂを展開する。スモールセル無線基地局４１０ａおよび４１０ｂは、ＮＬＯＳまたはその他のワイヤレス接続４２１を介してスモールセルハブ４１２に接続され、スモールセルハブ４１２は、スモールセルバックホールコントローラ４１４に接続され、スモールセルバックホールコントローラ４１４は、スモールセル無線基地局４１０ａおよび４１０ｂを３ＧＰＰコア４０４に接続する。
２．  オペレータは、スモールセルハブ４１２、スモールセルバックホールコントローラ４１４、および３ＧＰＰコア４０４の間における固定された、またはその他の接続を確立する。これは、たとえばＯＳＳ４２４の接続管理を介して行われることが可能である。
３．  スモールセル無線基地局４１０ａおよび４１０ｂからスモールセルハブ４１２へのＮＬＯＳワイヤレス接続４２０が、ＵＥおよびＲＢＳの３ＧＰＰの役割をそれぞれエミュレートすることによって確立される。
４．  これをサポートするために、スモールセルバックホールコントローラ４１４は、３ＧＰＰコア（以降では、３ＧＰＰ−ＰＲＩＭ、略して「３ＧＰＰコアｐｒｉｍ」（すなわち、バックホールリンク４２０をコントロールする目的のみのために使用される第２の論理的な３ＧＰＰコア）とも呼ばれる）をエミュレートする。スモールセルバックホールコントローラ４１４は、普通のエンドユーザのためのモバイルブロードバンドサービスを実施するために展開される通常の３ＧＰＰコア４０４とは論理的に別個のものである。
５．  スモールセル無線基地局４１０ａおよび４１０ｂはそれぞれ、本明細書においてＵＥ−ＰＲＩＭの役割と呼ばれるものを実施する。スモール無線基地局４１０ａおよび４１０ｂは、３ＧＰＰコア４０４の観点からは３ＧＰＰ  ＵＥとしてエミュレートされるということを思い出していただきたい。
６．  スモールセルハブ４１２は、ＲＢＳ−ＰＲＩＭの役割を実施する。スモールセルハブ４１２は、３ＧＰＰコア４０４の観点からは普通の３ＧＰＰ  ＲＢＳとしてエミュレートされるということを思い出していただきたい。
７．  使用されるＮＬＯＳワイヤレス接続４２０は、必ずしもＩＭＴ帯域である必要はなく、たとえば、１０ＧＨｚよりも上のまたはその他の周波数の帯域内であることが可能である。
８．  あるいは、固定されたリンク４２０が、ＩＭＳテクノロジーを介してスモールセル無線基地局４１０ａおよび４１０ｂとスモールセルハブ４１２との間において統合されることまたは使用されることも可能である。
９．  スモールセルバックホーリングリンク４２０は、３ＧＰＰ−ＰＲＩＭ４１４を使用して、ＲＡＮ／無線エアインターフェースにおいていずれの通常の３ＧＰＰワイヤレスサービスとも同じ様式でアクティブ化されることが可能である。３ＧＰＰ−ＰＲＩＭ４１４は、３ＧＰＰコア４０４とは論理的に別個のものである。３ＧＰＰ−ＰＲＩＭ４１４は、スモールセルバックホーリングリンク４２０を実施するために使用される。３ＧＰＰコア４０４は、スモールセル無線基地局４１０ａおよび４１０ｂによって３ＧＰＰ端末４０８ａおよび４０８ｂに提供されるモバイル（ブロードバンド）サービスを実施するために使用される。
１０．  ３ＧＰＰ−ＰＲＩＭ４１４は、サブセット、またはその他、または３ＧＰＰコアとして、たとえばＭＶＮＯとして実装されることが可能である。このＭＶＮＯは、内部または外部のものであることが可能である。
１１．  ３ＧＰＰ−ＰＲＩＭ４１４は、３ＧＰＰコア４０４と同じメカニズム、機能、および特徴を再利用することができる。たとえば、ＵＳＩＭのメカニズムおよびアイデンティティーは、システム内にスモールセルバックホールリンク４２０をプロビジョンするために使用されることが可能である。（ＨＳＳ／ＨＬＲに関連した）スモールセルストレージユニット４１６は、リンク４２０ならびにそれらのＱｏＳおよびその他のプロパティーを定義するために使用されることが可能である。加えて、ＯＳＳシステム４２４は、セキュリティー、サービス保証、およびセキュリティーをスモールセルバックホールリンク４２０に付加するために再利用されることが可能である。
１２．  ３ＧＰＰ−ＰＲＩＭ４１４は、典型的には管理システムによって、３ＧＰＰコア４０４に接続される。したがって、３ＧＰＰ−ＰＲＩＭ４１４は、スモールセルバックホーリングリンク４２０に関するコントロール、および場合によってはトラフィックアグリゲータの形態として機能する。
１３．  ３ＧＰＰ−ＰＲＩＭ４１４および関連付けられているエンティティー、すなわち、スモールセル無線基地局４１０ａおよび４１０ｂならびにスモールセルハブ４１２は、自分たちが連携してスモールセルバックホーリングリンク４２０を確立した場合には、スモールセルバックホーリングリンク４２０によってサービス提供されるスモールセル無線基地局４１０ａおよび４１０ｂが３ＧＰＰコア４０４に到達できることを確実にすることもできる。
１４．  ３ＧＰＰ−ＰＲＩＭ４１４は、３ＧＰＰコア４０４のエンティティーにとってトランスペアレントに機能することができる。
【００３４】
上記を考慮すれば、本発明の重要な特徴は、スモールセルバックホールネットワーク４０２が、３ＧＰＰコア４０４に対して、たとえ実際には、ＬＴＥ／３ＧＰＰ標準の一部ではない無線テクノロジーを使用してポイントツーマルチポイントワイヤレスリンク４０２が実施されていても、（たとえば）ポイントツーマルチポイントワイヤレスリンク４２０をＬＴＥ無線ベアラとしてエミュレートすることであるということを理解できるはずである。提案されているソリューションは、バックホーリングの観点からＲＢＳとＵＥとのポイントツーマルチポイントの関係をエミュレートするため、確立されたバックホーリングリンクをコントロールするために使用される３ＧＰＰコアネットワークメカニズムは、スモールセルハブ４１２によって、たとえばポイントツーマルチポイント無線ならびにポイントツーポイント無線またはそれらの任意の組合せを介して適用されることが可能である。上述したように、（１つまたは複数の）スモールセルワイヤレスリンク４２０は、たとえば非ＩＭＴ帯域を介して、ＮＬＯＳおよびポイントツーマルチポイントであることが可能である。なぜなら、これこそ、提案されているアプローチの利点がその最大の利益を得る箇所であるためである。さらに、本発明は、バックホール（非ＩＭＴを介したＬＴＥ）のためのエミュレートされた３ＧＰＰリンクが３ＧＰＰリンクとしてモデル化され取り扱われることが可能であるという事実をフルに活用しているということを理解できるはずである。とりわけ、本発明は、これらのポイントツーマルチポイントワイヤレスリンク４２０を、スモールセル無線基地局４１０ａおよび４１０ｂにつながる最後のワイヤレスホップを実施するＭＢＨセグメントの部分を形成する論理的におよび物理的に別個の３ＧＰＰコアとして管理するスモールセルバックホールコントローラ４１４を提示する。スモールセルバックホールコントローラ４１４の主な目的は、これらのホップをコントロールすることである。スモールセルバックホールネットワーク４０２は、（たとえば）下記のような多くの利点を有している：
‐  スモールセルバックホーリングソリューションのほとんどの予測においては、管理すべきスモールセルリンクが多くなるであろう。これらのスモールセルリンクを従来のたとえばマイクロ波リンクとして取り扱う場合、これは、十分に拡張しないであろう。なぜなら、多くの動的なスモールセルリンクを取り扱うための進んだＯＳＳ／ネットワーク管理ソリューションが必要となるためである。多数のワイヤレス接続を管理する自らの能力を証明している唯一のテクノロジーは、３ＧＰＰそのものであり、したがってスモールセルバックホールネットワーク４０２は、これらの多くの動的なスモールセルリンクを管理するために３ＧＰＰテクノロジーを効果的に「再利用する」ように構成されている。
‐  スモールセルバックホールネットワーク４０２は、ＬＴＥ中継を超えてワイヤレススモールセルバックホーリングをサポートするために３ＧＰＰツールを効果的に「再利用」することができる。一例として、スモールセルバックホールネットワーク４０２は、３ＧＰＰコアおよびＯＳＳソリューションを、それらの内部の働きを変えることなく、「再利用する」ことができる。なぜなら、ポイントツーマルチポイントワイヤレスリンク４２０は、任意の通常の３ＧＰＰ  ＵＥリンクとして取り扱われる／エミュレートされるためである。したがって、スモールセルバックホールネットワーク４０２は、スモールセルバックホールリンク４２０をモニタするために、ＨＬＲ／ＨＳＳ、ＭＭＥ、ＳＧｗ、マルチアクティブ化、パフォーマンス管理ツール、収益保証ツール等などの３ＧＰＰツールを「再利用する」ことができる。
‐  スモールセルバックホールネットワーク４０２は、３ＧＰＰテクノロジーを「再利用する」ことによって、たとえば、ＭＶＮＯ（モバイル仮想ネットワークオペレータ）をサポートするのと同じまたは同様の様式でスモールセルバックホールのコントロールおよび管理を実施することによって、新たなビジネスモデルが繁栄することを可能にする。たとえば、オペレータは、自分のスモールセルバックホーリングソリューションをサポートするために新たな複雑なシステムを開発または購入する必要はなく、その代わりに、スモールセルバックホールネットワーク４０２を既存の３ＧＰＰシステム内の仮想ソリューションとして実装することができる。したがって、オペレータは、その他のオペレータのスモールセルバックホーリングソリューションのための小売業者として機能することができ、その一方で、スモールセルバックホールネットワーク４０２によって可能にされるこの新たなビジネス機会を実施する上でそれらのその他のオペレータが必要とする能力を変えることはない。
‐  スモールセルバックホールネットワーク４０２は、非３ＧＰＰポイントツーマルチポイントスモールセルバックホーリングリンク４２０を、３ＧＰＰベアラとしてエミュレートし、それによって、それらの非３ＧＰＰポイントツーマルチポイントスモールセルバックホーリングリンク４２０は、ＲＡＮおよびコアによって３ＧＰＰリソースとして取り扱われることが可能になる。
‐  スモールセルバックホールネットワーク４０２は、プロキシユニットを通じて、ＲＡＮ側のＮＡＳおよびＳ１インターフェースを採用して、非３ＧＰＰポイントツーマルチポイントスモールセルバックホーリングリンク４２０を３ＧＰＰ無線ベアラとしてエミュレートし、それによって、それらの非３ＧＰＰポイントツーマルチポイントスモールセルバックホーリングリンク４２０は、ＲＡＮおよびコアによって３ＧＰＰリソースとして取り扱われることが可能になる。
‐  スモールセルバックホールネットワーク４０２は、ＮＬＯＳワイヤレススモールセルバックホーリングリンク４２０を３ＧＰＰベアラとしてエミュレートし、それによって、それらのＮＬＯＳワイヤレススモールセルバックホーリングリンク４２０は、ＲＡＮおよびコアによって３ＧＰＰリソースとして取り扱われることが可能になる。
‐  スモールセルバックホールネットワーク４０２は、ワイヤレスリンクまたはその他を介して３ＧＰＰ  ＵＥおよびＲＢＳの役割をエミュレートして、スモールセルバックホーリングリンク４２０をコントロールするために３ＧＰＰの利便性の全面的なまたは部分的な使用を可能にする。
‐  スモールセルバックホールネットワーク４０２は、バックホールソリューションを２つの構造へと効果的にセグメント化し、それらの構造は両方とも、論理的に別個の３ＧＰＰソリューションを用いてインストルメント化される。第１に、スモールセルバックホールは、あたかも普通の３ＧＰＰネットワークであるかのように管理され、バックホーリングのためにスモールセル無線基地局４１０ａおよび４１０ｂによって担当されるＵＥの役割と、スモールセルバックホーリングのためにスモールセルハブ４１２によって担当されるＲＢＳ／リレーの役割との間における接続を確立する。第２に、「普通の」バックホールが、上述のスモールセルハブ４１２を３ＧＰＰコアデバイスと接続する。スモールセルハブ４１２は、スモールセルと３ＧＰＰネットワークとの間における分界点において機能する。
‐  スモールセルバックホールネットワーク４０２は、スモールセルストレージユニット４１６と３ＧＰＰのＨＳＳ／ＨＬＲとを必要に応じて効果的に結合して１つのメインストレージユニットにすることと、次いでスモールセルバックホーリングリンクをモデル化するために、たとえばＵＳＩＭおよびその他のアイデンティティーのスマート命名規則を使用することとが可能であり、それによってシステムは、これらのスモールセルリンクによってサービス提供される３ＧＰＰ接続の確立の前にスモールセルリンクの整然とした確立を可能にする論理的な方法で、表されているエンティティーどうしに関して別々に機能することができる。たとえば、下記のとおりである：
‐  メインストレージユニットは、普通のサブスクライバーのデータレコード、ならびにスモールセルリンクのデータレコードの両方を含むことができる。これらは、同じ様式で取り扱われるが、高次プロビジョニング（ＨＯＰ）システムは、別々のナンバリングスキームを用いて１つのエンティティータイプを別のエンティティータイプから区別することができるであろう。とりわけ、ＨＯＰは、ＨＳＳ／ＨＬＲ「ＵＥ」が実際に本物のＵＥであるか、またはスモールセルバックホールリンクであるかをスキームから推測することができるであろう。
‐  モデル化されたＵＥが取り扱われる順序は、それが表しているのがどのタイプの「ＵＥ」か（本物のＵＥか、またはスモールセルバックホールＵＥか）に応じて変わることが可能である。
‐  より複雑なシナリオ、たとえば３ＧＰＰベースのソリューションの階層を確立するために、さまざまなナンバリングスキームが使用されることも可能である。これは、システムが、たとえば最も内側のスモールセルリンクを最初に確立し、次いで最も外側のリンクに向けてこれを繰り返すことを可能にすることができ、それによって、すべてのスモールセルが、すべての本物のエンドユーザＵＥにサービス提供する３ＧＰＰコアに接続される。
‐  このスモールセルハブ＆スポークトポロジーは、１つのスポークが、ハブからさらに遠い別のスポークのためのリレーとして機能する方法で拡張されることが可能である。これは、標準的なＬＴＥ中継方法を再利用することによって達成されることが可能である。
【００３５】
本発明の複数の実施形態が、添付の図面において示されており、前述の詳細な説明において記載されているが、本発明は、開示されている実施形態に限定されるものではなく、むしろ、添付の特許請求の範囲内に記載および定義されている本発明から逸脱することなく、多くの再構成、修正、および代用も可能であるということを理解されたい。
【図１】
2015523813.tif 000003
【図２】
2015523813.tif 000004
【図３】
2015523813.tif 000005
【図４】
2015523813.tif 000006
【図５】
2015523813.tif 000007
【図６】
2015523813.tif 000008
【図７】
2015523813.tif 000009
【図８】
2015523813.tif 000010
【図９】
2015523813.tif 000011
【図１０】
2015523813.tif 000012
【国際調査報告】
2015523813.tif 000013
2015523813.tif 000014
2015523813.tif 000015